(57)【特許請求の範囲】
【請求項１】
各種の情報を表示する表示画面を有する表示手段と、
筐体に設けられた開口部と、
前記開口部を通して前記表示画面に風を送るためのファンと、
自身の周囲の風の風速を測定する風速測定手段と、
前記風速測定手段により測定された風速が所定の風速以上の場合には、前記ファンの回転を停止させ、前記風速測定手段により測定された風速が前記所定の風速未満の場合には、前記表示画面に風を送るために前記ファンを回転させる制御手段と
を備え、
前記風速測定手段は、前記表示手段の近傍であって、且つ、前記ファンからの風が当たらない位置に設けられる
ことを特徴とする電子装置。
【請求項２】
各種の情報を表示する表示画面を有する表示手段と、
筐体に設けられた開口部と、
前記開口部を通して前記表示画面に風を送るためのファンと、
自身の周囲の風の風速を測定する風速測定手段と、
利用者の接近を検知した場合に、検知信号を制御手段に送信する利用者検知手段と、
前記利用者検知手段から前記検知信号が送信されて来た場合に、前記ファンの回転を停止させ、一方、前記利用者検知手段から前記検知信号が送信されて来ない場合に、前記風速測定手段により測定された風速が所定の風速以上のときには、前記ファンの回転を停止させ、一方、前記風速測定手段により測定された風速が前記所定の風速未満のときには、前記表示画面に風を送るために前記ファンを回転させる前記制御手段と
を備え、
前記風速測定手段は、前記表示手段の近傍であって、且つ、前記ファンからの風が当たらない位置に設けられる
ことを特徴とする電子装置。
【請求項３】
前記開口部は、前記制御手段の制御により開閉可能な蓋を有し、前記制御手段は前記蓋を閉じるとともに前記ファンの回転を停止させる
ことを特徴とする請求項１または２に記載の電子装置。
【請求項４】
前記表示手段は、利用者が前記表示画面に触れることにより情報を入力するための機能を有する
ことを特徴とする請求項１乃至３のいずれかに記載の電子装置。
【発明の詳細な説明】
【技術分野】
【０００１】
本発明は、電子装置、送風制御方法および送風制御プログラムに関し、特に、表示画面に風を送ることが可能な電子装置、送風制御方法および送風制御プログラムに関する。
【背景技術】
【０００２】
特許文献１および特許文献２には、自動取引装置の操作部または表示部の表示画面の近傍に空気吐出口を設け、当該装置内部に設置したファンからの風を該空気吐出口から吐出して該表示画面上に空気の流れを作り出すことにより、表示画面の周囲に浮遊している塵埃が表示画面上に落下してきたとしても、空気の流れによってその落下してきた塵埃を表示画面上から吹き飛ばし、表示画面上に塵埃が堆積することを防止するための技術が記載されている。
【先行技術文献】
【特許文献】
【０００３】
【特許文献１】特開２０１３−１６１８１４号公報
【特許文献２】特開平０４−３５４０９０号公報
【発明の概要】
【発明が解決しようとする課題】
【０００４】
しかしながら、特許文献１および特許文献２記載の技術では、自動取引装置の周囲の風の状況を考慮していないので、該装置の周囲に風が強く吹いており、その風により虫や塵埃等が表示画面上から吹き飛ばされてしまう場合にも、ファンを回し続けているため、不要なファン駆動電力を消費するという問題点がある。
【０００５】
本発明の目的は、上述した問題点を解決できる電子装置、送風制御方法および送風制御プログラムを提供することにある。
【課題を解決するための手段】
【０００６】
本発明の第１の電子装置は、
各種の情報を表示する表示画面を有する表示手段と、
前記表示画面に風を送るためのファンと、
自身の周囲の風の風速を測定する風速測定手段と、
前記風速測定手段により測定された風速が所定の風速以上の場合には、前記ファンの回転を停止させ、前記風速測定手段により測定された風速が前記所定の風速未満の場合には、前記表示画面に風を送るために前記ファンを回転させる制御手段と
から構成される。
【０００７】
さらに、本発明の第２の電子装置は、
各種の情報を表示する表示画面を有する表示手段と、
前記表示画面に風を送るためのファンと、
自身の周囲の風の風速を測定する風速測定手段と、
利用者の接近を検知した場合に、検知信号を制御手段に送信する利用者検知手段と、
前記利用者検知手段から前記検知信号が送信されて来た場合に、前記ファンの回転を停止させ、一方、前記利用者検知手段から前記検知信号が送信されて来ない場合に、前記風速測定手段により測定された風速が所定の風速以上のときには、前記ファンの回転を停止させ、一方、前記風速測定手段により測定された風速が前記所定の風速未満のときには、前記表示画面に風を送るために前記ファンを回転させる前記制御手段と
から構成される。
【０００８】
また、本発明の第１の送風制御方法は、
自身の周囲の風の風速を測定する風速測定手段により測定された風速と所定の風速とを比較する風速比較ステップと、
前記風速比較ステップでの比較の結果、前記風速測定手段により測定された風速が前記所定の風速未満の場合に、表示手段に設けられた表示画面に風を送るためにファンを回転させるファン回転ステップと、
前記風速比較ステップでの比較の結果、前記風速測定手段により測定された風速が前記所定の風速以上の場合に、前記ファンの回転を停止させるファン回転停止ステップと
を含む。
【０００９】
さらに、本発明の第２の送風制御方法は、
利用者の接近を検知する利用者検知手段が利用者の接近を検知した場合に、ファンの回転を停止させる第１のファン回転停止ステップと、
前記利用者検知手段が前記利用者の接近を検知しない場合に、自身の周囲の風の風速を測定する風速測定手段により測定された風速が所定の風速以上のときには、前記ファンの回転を停止させる第２のファン回転停止ステップと、
前記利用者検知手段が前記利用者の接近を検知しない場合に、前記風速測定手段により測定された風速が前記所定の風速未満のときには、表示手段に設けられた表示画面に風を送るために前記ファンを回転させるファン回転ステップと
を含む。
【００１０】
また、本発明の第１の送風制御プログラムは、
自身の周囲の風の風速を測定する風速測定手段により測定された風速と所定の風速とを比較する風速比較処理と、
前記風速比較処理での比較の結果、前記風速測定手段により測定された風速が前記所定の風速未満の場合に、表示手段に設けられた表示画面に風を送るためにファンを回転させるファン回転処理と、
前記風速比較処理での比較の結果、前記風速測定手段により測定された風速が前記所定の風速以上の場合に、前記ファンの回転を停止させるファン回転停止処理と
をコンピュータに実行させる。
【００１１】
さらに、本発明の第２の送風制御プログラムは、
利用者の接近を検知する利用者検知手段が利用者の接近を検知した場合に、ファンの回転を停止させる第１のファン回転停止処理と、
前記利用者検知手段が前記利用者の接近を検知しない場合に、自身の周囲の風の風速を測定する風速測定手段により測定された風速が所定の風速以上のときには、前記ファンの回転を停止させる第２のファン回転停止処理と、
前記利用者検知手段が前記利用者の接近を検知しない場合に、、前記風速測定手段により測定された風速が前記所定の風速未満のときには、表示手段に設けられた表示画面に風を送るために前記ファンを回転させるファン回転処理と
をコンピュータに実行させる。
【発明の効果】
【００１２】
本発明には、ある電子装置の周囲で風が強く吹いており、その風により虫や塵埃等が表示画面上から吹き飛ばされてしまうような場合には、該表示画面上に風を送るファンの回転を停止させ、不要なファン駆動電力の消費を無くすことができるという効果がある。
【図面の簡単な説明】
【００１３】
【図１】第１の実施形態を示すブロック図である。
【図２】第１の実施形態における制御手段１３の動作を示すフローチャートである。
【図３】第２の実施形態を示すブロック図である。
【図４】第２の実施形態における制御手段１８の動作を示すフローチャートである。
【図５】第３の実施形態を示すブロック図である。
【図６】第４の実施形態を示すブロック図である。
【発明を実施するための形態】
【００１４】
次に、本発明の実施形態について図面を参照して詳細に説明する。
【００１５】
［第１の実施形態］
図１は本発明の第１の実施形態を示すブロック図である。
【００１６】
図１を参照すると、本実施形態は、自動取引装置等の電子装置１０から構成され、電子装置１０は、筐体２０と、筐体２０の所定の位置に設けられ、各種の情報を表示する表示画面１２を有する表示手段１１と、筐体２０内に設けられた制御手段１３と、筐体２０の所定の位置に設けられた風速測定手段１４と、筐体２０内に設けられたファン１６と、ファン１６の回転により発生する風を筐体２０外に送り出し、表示画面１２上に送るために、筐体２０に開けられた開口部である吹き出し口１７とから構成される。
【００１７】
風速測定手段１４は、風速測定手段１４の周囲の風の風速を測定する。風速測定手段１４は、例えば、表示手段１１の近傍であって、且つ、吹き出し口１７から送り出されるファン１６からの風が当たらない位置に設けられる。
【００１８】
制御手段１３は、風速測定手段１４によって測定された風速を基にファン１６の回転数を制御する。
【００１９】
なお、表示手段１１は、例えば、利用者が表示画面１２に触れることにより情報を入力する機能も持つタッチパネルディスプレイ等でもよい。
【００２０】
次に、制御手段１３の動作について説明する。
【００２１】
図２は、本実施形態の制御手段１３の動作を示すフローチャートである。
【００２２】
まず、ファン１６の回転が停止していれば、制御手段１３はファン１６を回転させる（ステップＳ１００）。
【００２３】
そして、制御手段１３は、風速測定手段１４により測定された風速と、所定の風速とを比較する（ステップＳ１０１）。
【００２４】
風速測定手段１４により測定された風速が上記所定の風速以上の場合（ステップＳ１０１で「ＹＥＳ」の場合）、制御手段１３は、ファン１６の回転を停止させ（ステップＳ１０２）た後、再度、ステップＳ１０１の処理を行う。
【００２５】
なお、制御手段１３は、ステップＳ１０２でファン１６の回転を停止させた時点から所定の時間だけ経過した時点でステップＳ１０１の処理を行うようにしても良い。
【００２６】
一方、風速測定手段１４により測定された風速が上記所定の風速未満の場合（ステップＳ１０１で「ＮＯ」の場合）、制御手段１３は、ファン１６の回転が停止していれば回転させる（ステップＳ１００）。
【００２７】
以上、本実施形態には、電子装置１０の周囲で風が強く吹いており、その風により虫や塵埃等が表示画面１２上から吹き飛ばされてしまうような場合には、ファン１６の回転を停止させ、不要なファン駆動電力の消費を無くすことができるという効果がある。
【００２８】
その理由は、電子装置１０に設けられた風速測定手段１４により測定した風速が所定の風速以上の場合、制御手段１３がファン１６の回転を停止させるようにしたからである。
【００２９】
［第２の実施形態］
次に、本発明の第２の実施形態について説明する。
【００３０】
図３は本発明の第２の実施形態を示すブロック図である。
【００３１】
なお、本実施形態において、第１の実施形態における構成要素と同一の構成要素には、同一の参照符号が付与され、当該構成要素の説明は省略される。
【００３２】
図３を参照すると、本実施形態は、自動取引装置等の電子装置１００から構成され、電子装置１００は、筐体２０と、筐体２０の所定の位置に設けられ、各種の情報を表示する表示画面１２を有する表示手段１１と、筐体２０内に設けられた制御手段１８と、筐体２０の所定の位置に設けられた風速測定手段１４と、筐体２０内に設けられたファン１６と、ファン１６の回転により発生する風を筐体２０外に送り出し、表示画面１２上に送るために、筐体２０に開けられた開口部である吹き出し口１７と、筐体２０の所定の位置に設けられた利用者検知手段１５とから構成される。
【００３３】
利用者検知手段１５は、例えば、表示手段１１の近傍に設けられ、利用者が利用者検知手段１５に接近したことを検知した場合に、検知信号を制御手段１８に送信する。
【００３４】
次に、制御手段１８の動作について説明する。
【００３５】
図４は、制御手段１８の動作を示すフローチャートである。
【００３６】
まず、ファン１６の回転が停止していれば、制御手段１８はファン１６を回転させる（ステップＳ２００）。
【００３７】
その後、制御手段１８は、利用者検知手段１５から検知信号が送信されて来たか否かを判断し（ステップＳ２０１）、利用者検知手段１５から検知信号が送信されて来た場合（ステップＳ２０１で「受信」の場合）、制御手段１８は、ファン１６が回転しているときにはファン１６の回転を停止させ（ステップＳ２０２）た後、再度、ステップＳ２０１の処理を行う。
【００３８】
一方、利用者検知手段１５から検知信号が送信されて来ていない場合（ステップＳ２０１で「ＮＯ」の場合）、制御手段１８は、風速測定手段１４により測定された風速と、所定の風速とを比較する（ステップＳ２０３）。
【００３９】
風速測定手段１４により測定された風速が上記所定の風速以上の場合（ステップＳ２０３で「ＹＥＳ」の場合）、制御手段１８は、ファン１６の回転を停止させ（ステップＳ２０４）た後、再度、ステップＳ２０３の処理を行う。
【００４０】
なお、制御手段１８は、ステップＳ２０４でファン１６の回転を停止させた時点から所定の時間だけ経過した時点でステップＳ２０３の処理を行うようにしても良い。
【００４１】
一方、風速測定手段１４により測定された風速が上記所定の風速未満の場合（ステップＳ２０３で「ＮＯ」の場合）、制御手段１３は、ファン１６の回転が停止していれば回転させる（ステップＳ２００）。
【００４２】
以上、本実施形態には、第１の実施形態における効果に加えて、利用者が電子装置１００を利用しているときに、ファン１６からの風による利用者の不快感を無くすことができるという効果がある。
【００４３】
その理由は、利用者検知手段１５が利用者の接近を検知した場合、制御手段１８がファン１６の回転を停止させることにより、表示画面１２上に風が吹き出さないようにしたからである。
【００４４】
なお、第１および第２の実施形態においては、筐体２０内にファン１６が設けてられているが、表示画面１２に風を送ることができるような筐体２０外の場所に設けられてもよい。その場合、当然、吹き出し口１７は不要となる。
【００４５】
また、第１および第２の実施形態において、ファン１６の回転が停止したときに虫や塵埃等が装置内部に入らないように、吹き出し口１７を制御手段１３の制御により開閉可能な蓋等が付属した構造とし、制御手段１３が当該付属の蓋等を閉じるとともにファン１６の回転を停止させることにより、表示画面１２上に風を吹き出さないようにしても良い。
【００４６】
［第３の実施形態］
次に、本発明の第３の実施形態について説明する。
【００４７】
図５は本発明の第３の実施形態を示すブロック図である。
【００４８】
なお、本実施形態において、第１の実施形態における構成要素と同一の構成要素には、同一の参照符号が付与され、当該構成要素の説明は省略される。
【００４９】
図５を参照すると、本実施形態は、自動取引装置等の電子装置１１０から構成され、電子装置１１０は、各種の情報を表示する表示画面１２を有する表示手段１１と、制御手段１３と、自身の周囲の風の風速を測定する風速測定手段１４と、表示画面１２に風を送るためのファン１６とから構成される。
【００５０】
制御手段１３は、風速測定手段１４により測定された風速が所定の風速以上の場合には、ファン１６の回転を停止させ、風速測定手段１４により測定された風速が上記所定の風速未満の場合には、表示画面１２に風を送るためにファン１６を回転させる。
【００５１】
以上、本実施形態には、第１の実施形態と同様に、電子装置１１０の周囲で風が強く吹いており、その風により虫や塵埃等が表示画面１２上から吹き飛ばされてしまうような場合には、ファン１６の回転を停止させ、不要なファン駆動電力の消費を無くすことができるという効果がある。
【００５２】
その理由は、電子装置１１０に設けられた風速測定手段１４により測定した風速が所定の風速以上の場合、制御手段１３がファン１６の回転を停止させるようにしたからである。
【００５３】
［第４の実施形態］
次に、本発明の第４の実施形態について説明する。
【００５４】
図６は本発明の第４の実施形態を示すブロック図である。
【００５５】
なお、本実施形態において、第２の実施形態における構成要素と同一の構成要素には、同一の参照符号が付与され、当該構成要素の説明は省略される。
【００５６】
図６を参照すると、本実施形態は、自動取引装置等の電子装置１２０から構成され、電子装置１２０は、各種の情報を表示する表示画面１２を有する表示手段１１と、制御手段１８と、自身の周囲の風の風速を測定する風速測定手段１４と、表示画面１２に風を送るためのファン１６と、利用者の接近を検知した場合に、検知信号を制御手段１８に送信する利用者検知手段１５とから構成される。
【００５７】
制御手段１８は、利用者検知手段１５から検知信号が送信されて来た場合に、ファン１６の回転を停止させ、一方、利用者検知手段１５から検知信号が送信されて来ない場合に、風速測定手段１４により測定された風速が所定の風速以上のときには、ファン１６の回転を停止させ、一方、風速測定手段１４により測定された風速が上記所定の風速未満のときには、表示画面１２に風を送るためにファン１６を回転させる。
【００５８】
以上、本実施形態には、第２の実施形態と同様に、利用者が電子装置１２０を利用しているときに、ファン１６からの風による利用者の不快感を無くすことができるという効果がある。
【００５９】
その理由は、利用者検知手段１５が利用者の接近を検知した場合、制御手段１８がファン１６の回転を停止させることにより、表示手段１９上に風を送らないようにしたからである。
【００６０】
なお、第１乃至第４の実施形態において、風速測定手段１４が測定した風速に応じて制御手段１３および制御手段１８がファン１６の回転数を制御し、所定の風速になるために必要な風量だけを送風するようにしても良い。
【００６１】
また、第１および第３の実施形態における制御手段１３並びに第２および第４の実施形態における制御手段１８は、専用のハードウェアで実現されても良いし、プログラムに従って動作するマイクロプロセッサ等のコンピュータで実現されても良い。
【符号の説明】
【００６２】
１０    電子装置
１１    表示手段
１２    表示画面
１３    制御手段
１４    風速測定手段
１５    利用者検知手段
１６    ファン
１７    吹き出し口
１８    制御手段
２０    筐体
１００    電子装置
１１０    電子装置
１２０    電子装置
【図１】
0006449678.tif 000002
【図２】
0006449678.tif 000003
【図３】
0006449678.tif 000004
【図４】
0006449678.tif 000005
【図５】
0006449678.tif 000006
【図６】
0006449678.tif 000007